(57)【要約】      （修正有）【課題】  取り扱い性の向上を図ることのできる荷吊り用具と、それに用いるスリング保持部材を提供する。【解決手段】  スリング挿入枠２１は、内部を貫通してスリング１１が挿通されているので、スリング１１の長手方向（移動方向；上下方向）に沿って移動可能である。フック２２は、その基端部２２ａがスリング挿入枠２１と一体的に形成・支持され、先端部２２ｂがスリング１１の直径方向（突出方向；前後方向）に突出し、スリング１１の他端側のアイ部１１ｂを掛け止めているので、スリング挿入枠２１とともにスリング１１に対して移動方向に移動可能である。スリング挿入枠２１には、移動方向から見てフック突出側とはスリング１１を挟んで反対側（後方側）に向けて直線で連続的に幅拡大するＶ字状形態で開口された開口部２１ｆが、移動方向に沿って形成されている。【選択図】        図１
2006069716.tif 000002
【特許請求の範囲】
【請求項１】
所定部位が巻上機等の外部フックに掛止されて吊上げ対象物に１回又は複数回掛け回されるロープ状のスリングと、
前記スリングが挿通されるとともにそのスリングの長手方向（以下、移動方向という）に沿って相対移動可能なスリング挿通部と、そのスリング挿通部に基端部を支持されるとともに前記スリングの径方向（以下、突出方向という）に突出する先端部でそのスリングの他の所定部位を掛止可能なフックと、を有するスリング保持部材と、を備え、
前記スリング保持部材のスリング挿通部は、前記移動方向から見て前記突出方向のフック突出側とは反対側に向けて連続的又は断続的に幅拡大する形態で開口する開口部と、その開口部を閉鎖して前記スリングを当該開口部内に保持する開口閉鎖部とを含み、
前記スリング保持部材は、前記開口閉鎖部による前記開口部の閉鎖を解除してその開口部から前記スリングを着脱・交換可能であるとともに、
荷掛け前又は荷外し後の非玉掛け作業時に、前記開口部の壁面とそれに対向する前記開口閉鎖部の表面とが、前記突出方向の両側から挟むように前記スリングに接触することにより生じる摺動抵抗によって、前記スリング挿通部とスリングとの相対移動を阻止可能としたことを特徴とする荷吊り用具。
【請求項２】
長手方向両端に形成されたアイ部のうち一端側のアイ部が巻上機等の外部フックに掛止されて吊上げ対象物に１回又は複数回掛け回されるロープ状のスリングと、
前記スリングが挿通されるとともにそのスリングの長手方向（以下、移動方向という）に沿って相対移動可能なスリング挿通部と、そのスリング挿通部に基端部を支持されるとともに前記スリングの径方向（以下、突出方向という）に突出する先端部でそのスリングの他端側のアイ部を掛止可能なフックと、を有するスリング保持部材と、を備え、
前記スリング保持部材のスリング挿通部は、前記移動方向から見て前記突出方向のフック突出側とは反対側に向けて連続的又は断続的に幅拡大する形態で開口する開口部と、その開口部を閉鎖して前記スリングを当該開口部内に保持する開口閉鎖部とを含み、
前記スリング保持部材は、前記開口閉鎖部による前記開口部の閉鎖を解除してその開口部から前記アイ部を両端に有するスリングを着脱・交換可能であるとともに、
荷掛け前又は荷外し後の非玉掛け作業時に、前記開口部の壁面とそれに対向する前記開口閉鎖部の表面とが、前記突出方向の両側から挟むように前記スリングに接触することにより生じる摺動抵抗によって、前記スリング挿通部とスリングとの相対移動を阻止可能としたことを特徴とする荷吊り用具。
【請求項３】
前記開口部の壁面及び／又はそれに対向する前記開口閉鎖部の表面には、前記スリングと係合する係合部が形成され、
荷掛け前又は荷外し後の非玉掛け作業時に、前記係合部が前記スリングに係合することにより生じる摺動抵抗によって、前記スリング挿通部とスリングとの相対移動を阻止可能とした請求項１又は２に記載の荷吊り用具。
【請求項４】
作業者により前記フックの先端部に前記スリングを掛け止める際、及び／又は前記巻上機等の外部フックにより前記吊上げ対象物を吊り上げる際のような玉掛け作業時に、前記スリング挿通部とスリングとは前記係合部とスリングとの係合を解除して摺動抵抗を緩和された形態で相対移動可能である請求項３に記載の荷吊り用具。
【請求項５】
前記開口閉鎖部は、前記開口部を前記移動方向及び突出方向のいずれにも直交する方向（以下、支持方向という）に横断する形態で、その開口部を挟んで前記支持方向両側の開口壁部を連結する軸状体を含む請求項３に記載の荷吊り用具。
【請求項６】
前記軸状体の軸径及び／又はその軸状体に被せられる筒状体の外径を変更することにより、前記移動方向から見て前記開口部の壁面と前記軸状体又は筒状体の外周面とによって囲まれた開口面積を可変とし、
前記スリング挿通部には前記開口面積に応じて異なる断面積の前記スリングが挿通可能とされている請求項５に記載の荷吊り用具。
【請求項７】
前記係合部は、前記開口部の壁面において、前記移動方向に沿って互いに平行な筋状に形成された複数の凹部又は凸部を含む請求項３に記載の荷吊り用具。
【請求項８】
前記係合部は、前記開口部の壁面を展開したとき、山型を構成する両側の稜線部の交点を通りこれら稜線部のなす角を分割する基準線が前記突出方向のフック中心線と一致するように形成されたへリングボーン形状を呈する請求項７に記載の荷吊り用具。
【請求項９】
前記係合部は、前記軸状体又は筒状体の外周面に形成された１又は複数の凹部又は凸部を含む請求項６に記載の荷吊り用具。
【請求項１０】
請求項１ないし９のいずれか１項に記載の荷吊り用具に用いられ、前記開口部及び開口閉鎖部によって前記スリングに着脱可能であることを特徴とするスリング保持部材。
【発明の詳細な説明】
【技術分野】
【０００１】
本発明は、玉掛け作業のための荷吊り用具とその荷吊り用具に用いられるスリング保持部材に関する。
【背景技術】
【０００２】
玉掛け作業のために、両端にアイ・スプライス（アイ部）を形成したロープ（スリング）の中間に、長手方向に移動自在に閉塞部付きフックを取り付けた玉掛けロープ（荷吊り用具）が提案されている（特許文献１参照）。
【０００３】
【特許文献１】実開平６−１６３７５号公報
【０００４】
特許文献１によれば、玉掛け（荷掛け・荷外し）作業が容易かつ短時間で行える利点がある。ところが、このような玉掛けロープは、フックを支持する環部（リング）にアイ・スプライスを両端に有するロープが挿通されているだけなので、実際に取り扱う上で次のような不具合を生じるおそれがある。
【０００５】
（１）ロープと環部との間の摩擦が大きい場合には、作業者によりフックにロープを掛け止める際や、巻上機等の外部フックにより吊り荷を吊り上げる際のような玉掛け作業時に、両者間の摩擦による摺動抵抗によってロープと環部との円滑な移動が阻害されやすい。したがって、ロープと環部との間に所定以上の力が作用したとき急に移動を開始することになるため、特にロープには過大な負荷が掛かり、ロープの伸び・摩擦熱の発生等による損傷を受けるおそれがある。さらに、合成繊維製のベルトスリング等を用いた場合には、ベルトスリングが摩擦熱で溶けて塑性変形したり互いに融着したりするおそれもある。一方、ロープと環部との間の摩擦が小さい場合には、荷掛け前又は荷外し後の非玉掛け作業時にフックの自重によって環部がロープに沿って滑落しやすくなる。したがって、玉掛け作業を開始する毎に作業者により環部（及びフック）を所定位置に再移動しなければならなくなるため、特に長い玉掛けロープでは、迅速な玉掛け作業を阻害するおそれがある。そして、乾燥時と雨等で濡れた時とで摩擦の大小が不安定かつ不規則に変化するため、玉掛け作業の際の玉掛けロープの取り扱いがさらに困難になる。
【０００６】
（２）ロープは使用による経時変化で伸びたり損傷したりして交換が必要になる場合がある。また、吊り荷の形態（大きさ、形状、性状等）に応じて長さ・材質・断面積（断面直径）等の異なるロープへの交換が必要になる場合もある。しかし、アイ・スプライスは、玉掛け作業時等に環部を通り抜けてしまわないように環部よりも大径に製造（組立）されている。そのため、ロープ交換のため環部からロープを取り外すには、少なくとも一方のアイ・スプライスの固定を解除（解索）しなければならず、取り扱い性を悪化させるおそれがある。また、一旦解いたアイ・スプライスを再び固定（再結索）すると強度が低下するおそれが大きくなる。特に、無端状（エンドレス）のロープでは、ロープ交換自体が不可能（又はきわめて困難）である。このように、ロープ交換の困難さによって、玉掛けロープの取り扱い性をますます悪化させることになる。そして、製造（組立）時においても、ロープの両端にアイ・スプライスを形成した後に環部に挿通して組み付けることができないので、生産効率を向上させにくい。
【発明の開示】
【発明が解決しようとする課題】
【０００７】
本発明の課題は、例えば、ロープ状のスリングとスリング挿通部との間に適度な摩擦を付与したり、スリングのスリング挿通部からの脱着を可能としたり、異なる断面積のスリングへの交換を可能としたりすることによって、取り扱い性の向上を図ることのできる荷吊り用具と、それに用いるスリング保持部材を提供することにある。
【課題を解決するための手段及び発明の効果】
【０００８】
上記課題を解決するために、本発明の荷吊り用具は、
所定部位が巻上機等の外部フックに掛止されて吊上げ対象物に１回又は複数回掛け回されるロープ状のスリングと、
前記スリングが挿通されるとともにそのスリングの長手方向（以下、移動方向という）に沿って相対移動可能なスリング挿通部と、そのスリング挿通部に基端部を支持されるとともに前記スリングの径方向（以下、突出方向という）に突出する先端部でそのスリングの他の所定部位を掛止可能なフックと、を有するスリング保持部材と、を備え、
前記スリング保持部材のスリング挿通部は、前記移動方向から見て前記突出方向のフック突出側とは反対側に向けて連続的又は断続的に幅拡大する形態で開口する開口部と、その開口部を閉鎖して前記スリングを当該開口部内に保持する開口閉鎖部とを含み、
前記スリング保持部材は、前記開口閉鎖部による前記開口部の閉鎖を解除してその開口部から前記スリングを着脱・交換可能であるとともに、
荷掛け前又は荷外し後の非玉掛け作業時に、前記開口部の壁面とそれに対向する前記開口閉鎖部の表面とが、前記突出方向の両側から挟むように前記スリングに接触することにより生じる摺動抵抗によって、前記スリング挿通部とスリングとの相対移動を阻止可能としたことを特徴とする。
【０００９】
また、両端にアイ部を有するスリング（両端アイ形スリング）を用いる場合、上記課題を解決するために、本発明の荷吊り用具は、
長手方向両端に形成されたアイ部のうち一端側のアイ部が巻上機等の外部フックに掛止されて吊上げ対象物に１回又は複数回掛け回されるロープ状のスリングと、
前記スリングが挿通されるとともにそのスリングの長手方向（以下、移動方向という）に沿って相対移動可能なスリング挿通部と、そのスリング挿通部に基端部を支持されるとともに前記スリングの径方向（以下、突出方向という）に突出する先端部でそのスリングの他端側のアイ部を掛止可能なフックと、を有するスリング保持部材と、を備え、
前記スリング保持部材のスリング挿通部は、前記移動方向から見て前記突出方向のフック突出側とは反対側に向けて連続的又は断続的に幅拡大する形態で開口する開口部と、その開口部を閉鎖して前記スリングを当該開口部内に保持する開口閉鎖部とを含み、
前記スリング保持部材は、前記開口閉鎖部による前記開口部の閉鎖を解除してその開口部から前記アイ部を両端に有するスリングを着脱・交換可能であるとともに、
荷掛け前又は荷外し後の非玉掛け作業時に、前記開口部の壁面とそれに対向する前記開口閉鎖部の表面とが、前記突出方向の両側から挟むように前記スリングに接触することにより生じる摺動抵抗によって、前記スリング挿通部とスリングとの相対移動を阻止可能としたことを特徴とする。
【００１０】
これらの荷吊り用具によれば、開口部の壁面とそれに対向する開口閉鎖部の表面とが突出方向の両側から挟むようにスリングに接触することにより、スリング挿通部とスリングとの相対移動が阻止される。したがって、荷掛け前又は荷外し後の非玉掛け作業時（すなわち、スリング弛緩時）に、スリング表面が少なくとも部分的にスリング挿通部に接触するので、フックの自重に基づきスリング挿通部（スリング保持部材）がスリングに沿って滑落することを防止できるようになる。一方、玉掛け作業時（すなわち、作業者によりフックにスリングを掛け止める際や、巻上機等の外部フックにより吊上げ対象物を吊り上げる際のようなスリング緊張時）には、例えば、スリングがスリング挿通部内で摺動抵抗を緩和された形態で円滑に移動できるようにしておけば、引っ掛かりに伴う損傷や摩擦熱を生じにくくなる。
【００１１】
また、これらの荷吊り用具によれば、スリング交換の際には、スリング挿通部の開口閉鎖部による閉鎖を解除して、開口部からスリングを脱着（抜き出しと挿入）すればよい。したがって、たとえ無端状のスリング（エンドレス形スリング）であっても、使用による経時変化（例えば、損傷、伸び）、吊り荷の形態（例えば、大きさ、形状、性状）等に応じて作業現場で断面積（断面直径）が共通する又は異なるスリングと交換でき、荷吊り用具の取り扱い性の向上と玉掛け作業の効率化を図ることができる。また、製造（組立）時においても、例えば、スリングの両端にアイ部を形成した後にスリング挿通部の開口部に挿入して組み付けることができるので、生産効率の向上を図ることができる。さらに、スリング挿通部を突出方向のフック突出側とは反対側に向けて連続的又は断続的（段階的）に幅拡大する形態で開口したことにより、スリング保持部材（ひいては荷吊り用具）の軽量化を図るとともに、断面積（断面直径）が異なるスリングと交換することができる。
【００１２】
このように、ロープ状のスリングとスリング挿通部との間に適度な摩擦（摺動抵抗）を付与でき、スリングのスリング挿通部からの脱着を可能とし、異なる断面積（断面直径）のスリングへの交換をも可能として、荷吊り用具の取り扱い性の向上を図ることができる。
【００１３】
なお、フックには、基端部側と先端部側とが突出方向に延びる回転軸線（フック中心線）の周りに相対回転可能な回転部を設けて、玉掛け作業時（すなわち、スリング緊張時）・非玉掛け作業時（すなわち、スリング弛緩時）を問わず、スリングでのキンクの発生を防止するようにしてもよい。
【００１４】
このような荷吊り用具では、開口部の壁面及び／又はそれに対向する開口閉鎖部の表面には、スリングと係合する係合部を形成し、荷掛け前又は荷外し後の非玉掛け作業時に、係合部がスリングに係合することにより生じる摺動抵抗によって、スリング挿通部とスリングとの相対移動を阻止できる。このように、スリング挿通部に係合部が形成されるため、荷掛け前又は荷外し後の非玉掛け作業時（すなわち、スリング弛緩時）に、フックの自重によってスリング挿通部（スリング保持部材）がスリングに沿って滑落する事態を顕著に防止できるようになる。
【００１５】
そして、玉掛け作業時（すなわち、作業者によりフックの先端部にスリングを掛け止める際、及び／又は巻上機等の外部フックにより吊上げ対象物を吊り上げる際のようなスリング緊張時）に、スリング挿通部とスリングとは係合部とスリングとの係合を解除して摺動抵抗を緩和（減少；軽減）された形態で相対移動可能となる。つまり、玉掛け作業時にスリングはスリング挿通部内でさらに円滑に移動できるので、引っ掛かりに伴う損傷や摩擦熱を一層生じにくくなる。
【００１６】
また、開口閉鎖部は、開口部を移動方向及び突出方向のいずれにも直交する方向（以下、支持方向という）に横断する形態で、その開口部を挟んで支持方向両側の開口壁部を連結する軸状体を含むように構成するとよい。これによって、専用工具等を用いなくても、スリング挿通部の開口部から断面積（断面直径）が共通する又は異なるスリングとの交換作業を容易に行うことができる。また、軸状体（軸状部材）によって、開口部を有することによるスリング挿通部の強度低下を防止し、スリング挿通部の経時変化による変形等を防止することができる。
【００１７】
具体的には、軸状体の軸径及び／又はその軸状体に被せられる筒状体の外径を変更することにより、移動方向から見て開口部の壁面と軸状体又は筒状体の外周面とによって囲まれた開口面積（スリング挿通面積）を可変とし、スリング挿通部には開口面積に応じて異なる断面積のスリングを挿通することができる。軸径の異なる軸状体（軸状部材；例えば支持軸）及び／又は外径の異なる筒状体（筒状部材；例えばパイプ）に変更（交換）するだけで、異なる断面積（断面直径）のスリングと容易に着脱・交換できるので、玉掛け作業の安全性や用途の拡大を図ることができる。なお、「筒状体の外径変更」には、筒状体の軸状体への着脱（すなわち、筒状体の使用・不使用）を含む。
【００１８】
ところで、このときフックは、スリング挿通部のフック突出側とはスリングを挟んで反対側で基端部側を支持する軸状体（軸状部材；例えば支持軸）を中心として先端部側が首振り回動する一方、スリング挿通部とともにスリングに対して移動方向に相対移動可能とすることができる。これにより、仮に上記玉掛け作業時に、吊上げ対象物のバランスが崩れて傾きそうになっても、フックの首振り回動によって吊上げ対象物の姿勢を立て直すことができるので、荷崩れを防止することができる。このとき、軸状体は、（１）開口部を横断・閉鎖してスリングを開口部内に保持する機能と、（２）スリング挿通部の両側開口壁部を連結する機能と、（３）フックの基端部を支持する機能とを兼ね備え、スリング保持部材（ひいては荷吊り用具）の簡素化を図ることができる。
【００１９】
さらに、係合部は、開口部の壁面において、移動方向に沿って互いに平行な筋状に形成された複数の凹部又は凸部を含んで構成される場合がある。開口部の壁面に移動方向に沿って平行な筋状凹凸部（例えば、溝状の窪みや爪状の突起）を形成することによって、非玉掛け作業時（すなわち、スリング弛緩時）に、作業者が筋状凹凸部をスリング表面に係合操作すれば、フック（スリング保持部材）の滑落を防止できる。特に、表面が滑りやすいワイヤロープスリングにおいて、滑落防止効果が大きい。一方、玉掛け作業時（すなわち、スリング緊張時）には、筋状凹凸部とスリング表面との係合を解除しておけばよい。
【００２０】
具体的には、係合部は、開口部の壁面を展開したとき、山型を構成する両側の稜線部の交点を通りこれら稜線部のなす角を分割する基準線が突出方向のフック中心線と一致するように形成されたへリングボーン形状を呈するように形成できる。開口部の壁面にへリングボーン形状（herringbone shape；すなわちニシンの骨形状）の係合部を形成することによって、へリングボーンの先端部がロープ状スリングの素線（ワイヤ、合成繊維等）間に鋭く食い込んでフック（スリング保持部材）の滑落を防止できる。また、基準線が稜線部のなす角を等分割するように、へリングボーン形状の各山型を配置すれば、フック（スリング保持部材）を上下反転した場合にも同様に使用できる。
【００２１】
他方、係合部は、軸状体又は筒状体の外周面に（例えば、移動方向に沿って）形成された１又は複数の凹部又は凸部を含んで構成される場合がある。軸状体又は筒状体の外周面に凹凸部（例えば、溝状の窪みや爪状の突起）を形成することによって、非玉掛け作業時（すなわち、スリング弛緩時）に、作業者が凹凸部をスリング表面に係合操作すれば、フック（スリング保持部材）の滑落を防止できる。特に、上記した開口部壁面の筋状凹凸部と併用すれば、滑落防止効果が大きい。一方、玉掛け作業時（すなわち、スリング緊張時）には、凹凸部とスリング表面との係合を解除しておけばよい。
【００２２】
そして、上記課題を解決するために、以上で述べた荷吊り用具に用いられるスリング保持部材は、開口部及び開口閉鎖部によってスリングに着脱可能であることを特徴とする。これによって、スリング保持部材を準備しておけば、断面積（断面直径）が共通する又は異なるスリングと交換しながら、吊上げ対象物に応じた玉掛け作業を行なうことができるので、荷吊り用具の取り扱い性が向上する。
【００２３】
なお、本明細書において「ロープ状のスリング」とは、吊上げ対象物（吊り荷等）に掛け回され、巻上機の外部フック等に掛止されて玉掛け（荷掛け・荷外し）作業を行うためのロープ状の玉掛け用具の総称である（ＪＩＳ  Ｂ０１４８-1998（巻上機―用語）参照）。したがって、「ロープ状のスリング」には、ワイヤロープスリング（ＪＩＳ  Ｂ８８１７-1991）や合成繊維製のロープスリング等が含まれる。また、両端にアイ部を有するロープスリング（両端アイ形ロープスリングともいう）は勿論、無端状のロープスリング（エンドレス形ロープスリングともいう）も含まれる。これらのロープスリングは、吊上げ対象物に２回（ダブルスリングともいう）あるいはそれ以上に掛け回して用いてもよい。
【発明を実施するための最良の形態】
【００２４】
（実施例１）
以下、図面を参照しながら発明の実施の形態について説明する。図１は本発明に係る荷吊り用具を用いた玉掛け作業の一例を示す全体斜視図及び要部拡大図、図２はその荷吊り用具の正面断面図及び平面図である。図１に示すように、荷吊り用具２は、長手方向両端にアイ部１１ａ，１１ｂが形成された捻り鋼線製で複数（例えば２本）の両端アイ形ワイヤロープスリング（以下、単にスリングともいう）１１と、両アイ部１１ａ，１１ｂの間でそれぞれのスリング１１の長手方向に移動自在に取り付けられたスリング保持部材２０と、を備えている。
【００２５】
それぞれのスリング１１は、一端側のアイ部１１ａが巻上機（図示せず）等の外部フックＨに掛止され、吊り荷Ｇ（吊上げ対象物）に１回（１周）分掛け回されている。それぞれのスリング保持部材２０は、構造用合金鋼（例えばクロムモリブデン鋼）製の四角枠状のスリング挿入枠２１（スリング挿通部）と、他端側のアイ部１１ｂを掛止可能な構造用合金鋼（例えばクロムモリブデン鋼）製のフック２２と、を有している。
【００２６】
このうち、スリング挿入枠２１は、内部を貫通してスリング１１が挿通されているので、スリング１１の長手方向（移動方向；上下方向）に沿って（相対）移動可能である。一方、フック２２は、その基端部２２ａがスリング挿入枠２１と一体的に形成（固定）・支持され、先端部２２ｂがスリング１１の直径方向（突出方向；前後方向）に突出し、スリング１１の他端側のアイ部１１ｂを掛け止めているので、スリング挿入枠２１とともにスリング１１に対して移動方向に（相対）移動可能である。さらに、スリング挿入枠２１には、移動方向から見てフック突出側とはスリング１１を挟んで反対側（後方側）に向けて直線で連続的に幅拡大するＶ字状形態で開口（開放）された開口部２１ｆ（開放部）が、移動方向に沿って形成されている。したがって、アイ部１１ａ，１１ｂを両端に有し、断面積（断面直径）が共通する又は異なるスリング１１を、開口部２１ｆから着脱（挿入・抜き出し）・交換可能である。
【００２７】
また、２２ｄは、アイ部１１ｂの抜け出しを防止するためにフック２２の先端部２２ｂに取り付けられた外れ止めである。さらに、スリング挿入枠２１とフック２２とを鍛造等によって一体成形してスリング保持部材２０としている。なお、スリング１１でのキンクの発生を防止するために、突出方向に延びるフック中心線Ｏ（図２参照）の周りに基端部２２ａ側と先端部２２ｂ側とを相対回転させる回転部を設けてもよい。
【００２８】
図２に示すように、フック突出側とはスリング１１を挟んで反対側（後方側）に二又状後端部（両側開口壁部）が延設されたスリング挿入枠２１には、移動方向及び突出方向のいずれにもほぼ直交する方向（支持方向；幅方向）に沿って支持軸２３（軸状体；軸状部材；開口閉鎖部；連結部）が配置されている。さらに、この支持軸２３にスリング挿入枠２１の後端部（両側開口壁部）が着脱可能かつ回動可能に支持されている。具体的には、支持軸２３の軸部２３ａがスリング挿入枠２１の後端部（両側開口壁部）を貫通し、支持軸２３のねじ部２３ｂにナット２３ｃが螺合されている。これによって、フック２２は、基端部２２ａ側を支持する支持軸２３を中心として先端部２２ｂ側が首振り回動する。また、フック２２は、スリング挿入枠２１とともにスリング１１に対して移動方向に相対移動可能である。
【００２９】
そして、スリング挿入枠２１の二又状後端部（両側開口壁部）の間に、スリング１１着脱用の開口部２１ｆが形成されている。具体的には、図２（ｂ）に示すように、開口部２１ｆは開口幅が直線で連続的に拡大するＶ字状形態で後方開口されている。そこで、ナット２３ｃを緩めることによって支持軸２３（及び後述する円形パイプ２３ｄ）を取り外し、開口部２１ｆを開口させる（開口部２１ｆの閉鎖を解除する）ことができる。したがって、アイ部１１ａ，１１ｂが長手方向両端に形成された状態にて、断面積（断面直径）が共通する又は異なるスリング１１の着脱（挿入及び抜き出し）・交換が、開口部２１ｆを通じて無理なくできる。
【００３０】
図２に示すように、支持軸２３は、スリング挿入枠２１の開口部２１ｆを横断する形態で、開口部２１ｆを挟んで支持方向両側の開口壁部を連結しているので、スリング挿入枠２１の強度が向上する。このように、支持軸２３は、開口部２１ｆを横断・閉鎖してスリング１１を開口部２１ｆ内に保持する機能と、スリング挿入枠２１の両側開口壁部を連結する機能と、フック２２の基端部２２ａを回動可能に支持する機能とを有している。なお、２３ｄは、開口部２１ｆを塞いでスリング１１を開口部２１ｆ内に保持し、かつ、スリング１１の表面１１ｃと接触してスリング１１の移動を円滑にするとともに支持軸２３を補強するために、スリング挿入枠２１の後端部（両側開口壁部）間に位置する支持軸２３（軸部２３ａ）に被せられた円形状のパイプ（筒状体；筒状部材；開口閉鎖部）である。この円形パイプ２３ｄは、支持軸２３（軸部２３ａ）に対して回転不能に固定されている。
【００３１】
また、支持軸２３の取り外しの際に、円形パイプ２３ｄを除去したり（図５参照）、外径の異なるパイプと交換（変更）したりすると、開口部２１ｆの壁面２１ｋと円形パイプ２３ｄの外周面とによって囲まれるスリング挿通面積（開口面積）が変化する（図２（ｂ）及び図５参照）。これによって、断面積（断面直径）が異なるスリング１１との取替（交換）・使用が円滑（容易）に行える。
【００３２】
ところで、開口部２１ｆの壁面２１ｋには、スリング１１の表面１１ｃに係合可能な複数（例えば５条）の開口部側凹凸２１ｊ（例えば凹部；係合部；摺動抵抗付与部；移動阻止手段）が、移動方向に沿って互いに平行な筋状に形成されている。この開口部側凹部２１ｊは、荷掛け前又は荷外し後の非玉掛け作業時（すなわち、スリング弛緩時；図３参照）にスリング１１の表面１１ｃに係合して、スリング挿入枠２１（スリング保持部材２０）とスリング１１との相対移動を阻止することができる（図４参照）。
【００３３】
開口部２１ｆ壁面２１ｋの平面拡大図を図６（ａ）に、その展開図を同（ｂ）に示す。図６（ｂ）に示すように、開口部２１ｆの壁面２１ｋに形成された開口部側凹部２１ｊは、魚（ニシン）の骨のように複数の山型２１ｍを並べたへリングボーン形状を有している。そして、山型２１ｍを構成する両側の稜線部の交点を通りこれら稜線部のなす角δ（例えばδ≒９０°）を等分割する基準線がフック中心線Ｏと一致するように形成されている。なお、山型２１ｍを構成する両側の稜線部のなす角δは通常６０°〜１２０°に設定される。
【００３４】
図２に戻り、円形パイプ２３ｄの表面（外周面；スリング対向面）には、スリング１１の表面１１ｃに係合可能な閉鎖部側凹凸２３ｉ（例えば凹部；係合部；摺動抵抗付与部；移動阻止手段）が、半径方向の高低差として（図２（ａ）参照）形成されている。この閉鎖部側凹部２３ｉは、荷掛け前又は荷外し後の非玉掛け作業時（すなわち、スリング弛緩時；図３参照）にスリング１１の表面１１ｃに係合して、スリング挿入枠２１（スリング保持部材２０）とスリング１１との相対移動を阻止することができる（図４参照）。そして、円形パイプ２３ｄに閉鎖部側凹部２３ｉを設けることによって、支持軸２３の軸部２３ａ径を相対的に細くすることができ、ひいてはスリング挿入枠２１を小型化することとなる。
【００３５】
図２（ａ）に示すように、閉鎖部側凹部２３ｉをフック中心線Ｏを挟んで移動方向上下２ヶ所に設けると、フック２２を中心線Ｏで上下反転して使用することができる。その際、中心線Ｏから閉鎖部側凹部２３ｉまでの回転角度を上下で異ならせる場合には、吊り荷Ｇ（図１参照）の形態（大きさ、形状、性状等）に合わせて使い分けることができる。なお、開口部２１ｆの壁面２１ｋの開口部側凹部２１ｊと円形パイプ２３ｄ外周面の閉鎖部側凹部２３ｉとは、いずれか一方を設けてもよい。また、開口部側凹部２１ｊ，閉鎖部側凹部２３ｉの代わりにそれぞれ凸部を設けてもよい。さらに、閉鎖部側凹部２３ｉを支持方向に沿って形成してもよい。
【００３６】
次に、このような荷吊り用具２の作用（作動）について説明する。
（１）非玉掛け作業時（図３，図４参照）
荷掛け前又は荷外し後の非玉掛け作業時（すなわち、スリング弛緩時；図３）に、作業者が支持軸２３を中心としてフック２２の先端部２２ｂを下方（図４（ａ）矢符方向）へ回動すると、開口部２１ｆの壁面２１ｋの開口部側凹部２１ｊがスリング１１の表面１１ｃに係合する。それとほぼ同時に、円形パイプ２３ｄ外周面の上方側の閉鎖部側凹部２３ｉがスリング１１の突出方向反対側（後方側）から表面１１ｃに係合する。これらの係合に伴う摺動抵抗（摩擦）によって、スリング挿入枠２１とスリング１１との相対移動が阻止され、スリング保持部材２０の滑落が防止されるので、安全性が確保されるとともに、次回の玉掛け作業に要する時間が短縮される。なお、このとき、図４（ａ）に示すように、山型２１ｍを構成する片側の稜線部がスリング１１の長手方向とほぼ平行になる（すなわち、フック中心線Ｏとスリング１１のなす角がδ／２≒４５°となる）ので、ワイヤロープスリング１１の素線間にへリングボーン形状の開口部側凹部２１ｊ（山型２１ｍ）が食い込みやすくなる。
【００３７】
（２）玉掛け作業時（図１，図２参照）
玉掛け作業時（すなわち、作業者によりフック２２の先端部２２ｂにスリング１１を掛け止める際、及び／又は巻上機等の外部フックＨにより吊り荷Ｇを吊り上げる際のようなスリング緊張時；図１）には、開口部２１ｆの壁面２１ｋの開口部側凹部２１ｊと円形パイプ２３ｄ外周面の閉鎖部側凹部２３ｉとは、いずれもスリング１１の表面１１ｃとの係合が解除された状態となる（図２）。したがって、スリング挿入枠２１とスリング１１との摺動抵抗（摩擦）が緩和（減少；軽減）されて相対移動可能となる。つまり、玉掛け作業時にスリング１１はスリング挿入枠２１内で円滑に移動できるようになり、吊り荷Ｇの上部でスリング１１は徐々に締め込まれ（絞り込まれ）る。
【００３８】
（３）スリング交換時（図５参照）
作業現場において、使用による経時変化（例えば、損傷、伸び）や吊り荷の形態（例えば、大きさ、形状、性状）に応じてスリング１１を交換するときには、ナット２３ｃを緩めることによって支持軸２３と円形パイプ２３ｄとを取り外し、開口部２１ｆを開口させる。開口部２１ｆを通じて断面直径Ｄ１が共通のスリング１１に交換する場合には、スリング挿入枠２１の二又状後端部（両側開口壁部）と円形パイプ２３ｄとに支持軸２３を挿通してナット２３ｃを締付固定する（図２，図４参照）。開口部２１ｆを通じて断面直径が異なる（例えば断面直径Ｄ２が大きい）スリング１１に交換する場合には、円形パイプ２３ｄを除去し、スリング挿入枠２１の二又状後端部（両側開口壁部）に支持軸２３を挿通してナット２３ｃを締付固定する（図５）。なお、スリング１１交換後の非玉掛け作業時（図５（ｂ））には、円形パイプ２３ｄ外周面の凹部に代わって、支持軸２３の軸部２３ａの外周面に形成された閉鎖部側凹凸２３ｉ（例えば凹部；係合部；摺動抵抗付与部；移動阻止手段）がスリング１１の表面１１ｃに係合する。
【００３９】
図７に開口部２１ｆの変形例を示す。図７（ａ）に示す開口部２１ｆは、図６と同様に、開口幅が直線で連続的に拡大するＶ字状形態で後方開口されている。ただし、開口部側凹部２１ｊは、片側の壁面２１ｋに形成された互いに平行な直線状の複数（例えば３条）の溝２１ｎで構成されている。また、図７（ｂ）に示す開口部２１ｆは、開口幅が曲線で連続的に拡大する擬似Ｕ字状形態で後方開口されている。さらに、図７（ｃ）に示す開口部２１ｆは、開口幅が断続的（段階的）に拡大するＶ字状形態で後方開口されている。
【００４０】
図８に図１の荷吊り用具の変形例を示す。この変形例のスリング挿入枠２１にも、移動方向から見てフック突出側とはスリング１１を挟んで反対側（後方側）に向けて直線で連続的に幅拡大するＶ字状形態で開口（開放）された開口部２１ｆ（開放部）が、移動方向に沿って形成されている。ただし、図１の支持軸２３の代わりに、スリング挿入枠２１の二又状後端部（両側開口壁部）のうちの一方から螺旋状に延びる延長部２３’（軸状体；軸状部材；開口閉鎖部）が形成されている。この延長部２３’は朝顔の蔓のようにスリング１１に巻き付いているので、非玉掛け作業時（すなわち、スリング弛緩時；図３参照）には、フック２２の自重に基づき開口部２１ｆ及び延長部２３’によってスリング１１を押す力Ｆが図８に示す方向に作用する。この押圧力Ｆが摺動抵抗（摩擦）となってフック２２（スリング保持部材２０）の滑落を防止する。
【００４１】
なお、開口部２１ｆの壁面２１ｋには、スリング１１の表面１１ｃに係合可能な複数（例えば４条）の開口部側凹凸２１ｊ（例えば凹部；係合部；摺動抵抗付与部；移動阻止手段）が、移動方向に沿って互いに平行な筋状に形成されている。この開口部側凹部２１ｊは、開口部２１ｆのＶ字形状に沿ってＶ字形成されていて、非玉掛け作業時にスリング１１を押圧力Ｆで押す。このとき、延長部２３’の螺旋軸が長手方向にオフセット（齟齬；偏心）してあるので、延長部２３’の複数ヶ所（例えば２ヶ所）でスリング１１を（押圧力Ｆで）押すことができる。また、延長部２３’は、螺旋軸が長手方向にオフセットした形態で、朝顔の蔓のようにスリング１１に巻き付けてあるので、アイ部１１ａ，１１ｂを両端に有し、断面積（断面直径）が共通する又は異なるスリング１１を、開口部２１ｆから容易に着脱（挿入・抜き出し）・交換できる。
【００４２】
実施例１に記載したような複数の両端アイ形ワイヤロープスリング１１は、図１に示すように、鉄パイプのような細くて長い多数の吊り荷Ｇを一度に玉掛けする場合等に適している。なお、図２（ｂ）に仮想線で示すように、スリング挿入枠２１の一部２１’を別体で構成し焼入れを施すことによって、開口部２１ｆの壁面２１ｋに形成された開口部側凹部２１ｊの強度向上を図り、長期にわたり安全性を保持することができる。
【００４３】
（実施例２）
図９は図１の荷吊り用具の他の実施例を示す正面断面図及び平面図である。図９に示すように、荷吊り用具５は、長手方向両端にアイ部１１ａ，１１ｂが形成された捻り鋼線製で複数（例えば２本）の両端アイ形ワイヤロープスリング（ロープスリング；スリング）１１と、両アイ部１１ａ，１１ｂの間でそれぞれのロープスリング１１の長手方向に移動自在に取り付けられたスリング保持部材２０と、を備えている（図１参照）。
【００４４】
それぞれのロープスリング１１は、一端側のアイ部１１ａが巻上機（図示せず）等の外部フックＨに掛止され、吊り荷Ｇ（吊上げ対象物）に１回（１周）分掛け回されている。それぞれのスリング保持部材２０は、構造用合金鋼（例えばクロムモリブデン鋼）製の四角枠状のベルトスリング用挿入枠１２１（ベルトスリング用挿通部；スリング挿通部）と、構造用合金鋼（例えばクロムモリブデン鋼）製の四角枠状のロープスリング用挿入枠２２１（ロープスリング用挿通部；スリング挿通部）と、他端側のアイ部１１ｂを掛止可能な構造用合金鋼（例えばクロムモリブデン鋼）製のフック２２と、を有している。
【００４５】
このうち、ベルトスリング用挿入枠１２１は、内部を貫通して両端アイ形ベルトスリング１０（ベルトスリング；スリング）が挿通される場合（図１３、図１４参照）には、ベルトスリング１０の長手方向（移動方向；上下方向）に沿って（相対）移動可能である。また、ロープスリング用挿入枠２２１は、内部を貫通してロープスリング１１が挿通され、ロープスリング１１の長手方向（移動方向；上下方向）に沿って（相対）移動可能である。さらに、フック２２は、その基端部２２ａがベルトスリング用挿入枠１２１と一体的に形成（固定）・支持され、先端部２２ｂがロープスリング１１の直径方向（突出方向；前後方向）に突出し、ロープスリング１１の他端側のアイ部１１ｂを掛け止めているので、ベルトスリング用挿入枠１２１とともにロープスリング１１に対して移動方向に（相対）移動可能である。
【００４６】
そして、ベルトスリング用挿入枠１２１には、移動方向（図９（ｂ））から見てフック突出側とはロープスリング１１を挟んで反対側（後方側）に向けて開口（開放）されたベルトスリング用開口部１２１ｆ（開口部；開放部）が、移動方向に沿って形成されている。一方、ロープスリング用挿入枠２２１はベルトスリング用開口部１２１ｆ内に着脱可能に保持（挿入；装着）されている。このロープスリング用挿入枠２２１には、移動方向から見てフック突出側とはロープスリング１１を挟んで反対側（後方側）に向けて直線で連続的に幅拡大するＶ字状形態で開口（開放）されたロープスリング用開口部２２１ｆ（開口部；開放部）が、移動方向に沿って形成されている。したがって、アイ部１１ａ，１１ｂを両端に有し、断面積（断面直径）が共通する又は異なるロープスリング１１を、ロープスリング用開口部２２１ｆから着脱（挿入・抜き出し）・交換可能である。
【００４７】
フック突出側とはロープスリング１１を挟んで反対側（後方側）に二又状後端部（両側開口壁部）が延設されたロープスリング用挿入枠２２１と、同方向に二又状後端部（両側開口壁部）が延設されるとともにロープスリング用挿入枠２２１が装着されたベルトスリング用挿入枠１２１とに同時に跨る形態で、移動方向及び突出方向のいずれにもほぼ直交する方向（支持方向；幅方向）に沿って支持軸２３（軸状体；軸状部材；開口閉鎖部；連結部）が配置されている。さらに、この支持軸２３にベルトスリング用挿入枠１２１の後端部（両側開口壁部）が着脱可能かつ回動可能に支持されている。具体的には、支持軸２３の軸部２３ａがロープスリング用挿入枠２２１及びベルトスリング用挿入枠１２１の後端部（両側開口壁部）を貫通し、支持軸２３のねじ部２３ｂにナット２３ｃが螺合されている。これによって、フック２２は、基端部２２ａ側を支持する支持軸２３を中心として先端部２２ｂ側が首振り回動する。また、フック２２は、ベルトスリング用挿入枠１２１（及びロープスリング用挿入枠２２１）とともにロープスリング１１に対して移動方向に相対移動可能である。
【００４８】
そして、ロープスリング用挿入枠２２１の二又状後端部（両側開口壁部）の間に、ロープスリング１１着脱用のロープスリング用開口部２２１ｆが形成されている。具体的には、図１０（ｂ）に示すように、ロープスリング用開口部２２１ｆは開口幅が直線で連続的に拡大するＶ字状形態で後方開口されている。そこで、図９（ｂ）において、ナット２３ｃを緩めることによって支持軸２３（及び後述する円形パイプ２３ｄ）を取り外し、ロープスリング用開口部２２１ｆを開口させる（ロープスリング用開口部２２１ｆの閉鎖を解除する）ことができる。したがって、アイ部１１ａ，１１ｂが長手方向両端に形成された状態にて、断面積（断面直径）が共通する又は異なるロープスリング１１の着脱（挿入及び抜き出し）・交換が、ロープスリング用開口部２２１ｆを通じて無理なくできる。
【００４９】
図９に示すように、支持軸２３は、ベルトスリング用開口部１２１ｆ及びロープスリング用開口部２２１ｆを横断する形態で、両開口部１２１ｆ，２２１ｆを挟んで支持方向両側の開口壁部を連結しているので、両挿入枠１２１，２２１（特にロープスリング用挿入枠２２１）の強度が向上する。このように、支持軸２３は、両開口部１２１ｆ，２２１ｆを横断・閉鎖してロープスリング１１をロープスリング用開口部２２１ｆ内に保持する機能と、両挿入枠１２１，２２１の両側開口壁部を連結する機能と、フック２２の基端部２２ａを回動可能に支持する機能とを有している。なお、２３ｄは、ロープスリング用開口部２２１ｆを塞いでロープスリング１１をロープスリング用開口部２２１ｆ内に保持し、かつ、ロープスリング１１の表面１１ｃと接触してロープスリング１１の移動を円滑にするとともに支持軸２３を補強するために、ロープスリング用挿入枠２２１の後端部（両側開口壁部）間に位置する支持軸２３（軸部２３ａ）に被せられた円形状のパイプ（筒状体；筒状部材；開口閉鎖部）である。この円形パイプ２３ｄは、支持軸２３（軸部２３ａ）に対して回転不能に固定されている。
【００５０】
また、支持軸２３の取り外しの際に、円形パイプ２３ｄを除去したり（図１２参照）、外径の異なるパイプと交換（変更）したりすると、ロープスリング用開口部２２１ｆの壁面２２１ｋと円形パイプ２３ｄの外周面とによって囲まれるロープスリング挿通面積（開口面積）が変化する（図９（ｂ）及び図１２参照）。これによって、断面積（断面直径）が異なるロープスリング１１との取替（交換）・使用が円滑（容易）に行える。
【００５１】
ところで、ロープスリング用開口部２２１ｆの壁面２２１ｋには、ロープスリング１１の表面１１ｃに係合可能な複数（例えば５条）のロープスリング用開口部側凹凸２２１ｊ（例えば凹部；係合部；摺動抵抗付与部；移動阻止手段）が、移動方向に沿って互いに平行な筋状に形成されている。このロープスリング用開口部側凹部２２１ｊは、荷掛け前又は荷外し後の非玉掛け作業時（すなわち、スリング弛緩時；図３参照）にロープスリング１１の表面１１ｃに係合して、ロープスリング用挿入枠２２１（スリング保持部材２０）とロープスリング１１との相対移動を阻止することができる（図１１参照）。なお、ロープスリング用開口部側凹部２２１ｊは、図１０に示すように、ロープスリング用開口部２２１ｆの両壁面２２１ｋにおいて、移動方向に並んだ溝で形成されているが、図６のようなへリングボーン形状等で構成してもよい。
【００５２】
図９に戻り、円形パイプ２３ｄの表面（外周面；スリング対向面）には、ロープスリング１１の表面１１ｃに係合可能な閉鎖部側凹凸２３ｉ（例えば凹部；係合部；摺動抵抗付与部；移動阻止手段）が、半径方向の高低差として（図９（ａ）参照）形成されている。この閉鎖部側凹部２３ｉは、荷掛け前又は荷外し後の非玉掛け作業時（すなわち、スリング弛緩時；図３参照）にロープスリング１１の表面１１ｃに係合して、ロープスリング用挿入枠２２１（スリング保持部材２０）とロープスリング１１との相対移動を阻止することができる（図１１参照）。そして、円形パイプ２３ｄに閉鎖部側凹部２３ｉを設けることによって、支持軸２３の軸部２３ａ径を相対的に細くすることができ、ひいてはロープスリング用挿入枠２２１及びベルトスリング用挿入枠１２１を小型化することとなる。
【００５３】
さらに、以上で説明したロープスリング１１用の荷吊り用具５は、ロープスリング用挿入枠２２１をベルトスリング用挿入枠１２１のベルトスリング用開口部１２１ｆから取り外す（離脱させる）と、図１３及び図１４に示すベルトスリング１０用の荷吊り用具５’となる。
【００５４】
ロープスリング用挿入枠２２１を取り外したとき、図１３に示すように、ベルトスリング用挿入枠１２１の後端部（フック２２の基端部２２ａ）間に、ベルトスリング１０着脱用のベルトスリング用開口部１２１ｆが形成される。具体的には、図１３（ｂ）に示すように、ベルトスリング用開口部１２１ｆの支持方向での開口幅Ｗは、ベルトスリング１０の厚さＴよりも大に形成されている。そこで、ナット２３ｃを緩めることによって支持軸２３を取り外し、ベルトスリング用開口部１２１ｆを開口させることができる。したがって、アイ部（図示せず）が長手方向両端に形成された状態にて、ベルトスリング用開口部１２１ｆを通じてベルトスリング１０の着脱（挿入及び抜き出し）・交換が無理なくできる。
【００５５】
ところで、フック２２の基端部２２ａ（ベルトスリング用挿入枠１２１）のスリング対向面には、ベルトスリング１０の表面１０ｃに係合可能な爪状のベルトスリング用開口部側突起１２１ｊ（係合部；摺動抵抗付与部；移動阻止手段）が、支持方向に沿って１又は複数（例えば２個）形成されている。この突起１２１ｊは、フック中心線Ｏを挟んで所定距離離間して分散配置され、荷掛け前又は荷外し後の非玉掛け作業時（すなわち、スリング弛緩時）に、ベルトスリング用挿入枠１２１（スリング保持部材２０）とベルトスリング１０との相対移動を阻止することができる（図１４参照）。
【００５６】
また、支持軸２３（軸部２３ａ）のスリング対向面には、ベルトスリング１０の表面１０ｃに係合可能なスプライン状又はセレーション状の閉鎖部側凹凸２３ｉ（例えば凹部；係合部；摺動抵抗付与部；移動阻止手段）が、支持方向に沿って形成されている。この閉鎖部側凹部２３ｉは、荷掛け前又は荷外し後の非玉掛け作業時（すなわち、スリング弛緩時；図３参照）に、ベルトスリング用挿入枠１２１（スリング保持部材２０）とベルトスリング１０との相対移動を阻止することができる。
【００５７】
次に、このような荷吊り用具５，５’の作用（作動）について説明する。
（１）非玉掛け作業時（図３，図１１参照）
荷掛け前又は荷外し後の非玉掛け作業時（すなわち、スリング弛緩時；図３）に、作業者が支持軸２３を中心としてフック２２の先端部２２ｂを下方（図１１（ａ）矢符方向）へ回動すると、ロープスリング用開口部２２１ｆの壁面２２１ｋのロープスリング用開口部側凹部２２１ｊがロープスリング１１の表面１１ｃに係合する。それとほぼ同時に、円形パイプ２３ｄ外周面の上方側の閉鎖部側凹部２３ｉがロープスリング１１の突出方向反対側（後方側）から表面１１ｃに係合する。これらの係合に伴う摺動抵抗（摩擦）によって、ロープスリング用挿入枠２２１とロープスリング１１との相対移動が阻止され、スリング保持部材２０の滑落が防止されるので、安全性が確保されるとともに、次回の玉掛け作業に要する時間が短縮される。
【００５８】
（２）玉掛け作業時（図１，図９参照）
玉掛け作業時（すなわち、作業者によりフック２２の先端部２２ｂにスリング１１を掛け止める際、及び／又は巻上機等の外部フックＨにより吊り荷Ｇを吊り上げる際のようなスリング緊張時；図１）には、ロープスリング用開口部２２１ｆの壁面２２１ｋのロープスリング用開口部側凹部２２１ｊと円形パイプ２３ｄ外周面の閉鎖部側凹部２３ｉとは、いずれもロープスリング１１の表面１１ｃとの係合が解除された状態となる（図９）。したがって、ロープスリング用挿入枠２２１とロープスリング１１との摺動抵抗（摩擦）が緩和（減少；軽減）されて相対移動可能となる。つまり、玉掛け作業時にロープスリング１１はロープスリング用挿入枠２２１内で円滑に移動できるようになり、吊り荷Ｇの上部でロープスリング１１は徐々に締め込まれ（絞り込まれ）る。
【００５９】
（３）ロープスリング交換時（図１２参照）
作業現場において、使用による経時変化（例えば、損傷、伸び）や吊り荷の形態（例えば、大きさ、形状、性状）に応じてロープスリング１１を交換するときには、ナット２３ｃを緩めることによって支持軸２３と円形パイプ２３ｄとを取り外し、両開口部１２１ｆ，２２１ｆを開口させる。ロープスリング用開口部２２１ｆを通じて断面直径Ｄ１が共通のスリング１１に交換する場合には、両挿入枠１２１，２２１の二又状後端部（両側開口壁部）と円形パイプ２３ｄとに支持軸２３を挿通してナット２３ｃを締付固定する（図９，図１１参照）。ロープスリング用開口部２２１ｆを通じて断面直径が異なる（例えば断面直径Ｄ２が大きい）ロープスリング１１に交換する場合には、円形パイプ２３ｄを除去し、両挿入枠１２１，２２１の二又状後端部（両側開口壁部）に支持軸２３を挿通してナット２３ｃを締付固定する（図１２）。なお、ロープスリング１１交換後の非玉掛け作業時（図１２（ｂ））には、円形パイプ２３ｄ外周面の凹部に代わって、支持軸２３の軸部２３ａの外周面に形成された閉鎖部側凹凸２３ｉ（例えば凹部；係合部；摺動抵抗付与部；移動阻止手段）が、ロープスリング１１の表面１１ｃに係合するようにしてもよい。
【００６０】
（４）ベルトスリング使用時（図１３，図1４参照）
ロープスリング交換時と同様に支持軸２３と円形パイプ２３ｄとを取り外し、さらに、ベルトスリング用挿入枠１２１のベルトスリング用開口部１２１ｆからロープスリング用挿入枠２２１を取り出すと、ベルトスリング用開口部１２１ｆにベルトスリング１０を挿通することができる。なお、非玉掛け作業時（図１３）及び玉掛け作業時（図１４）の作動は、ロープスリング１１の場合と同様である。
【００６１】
図１５にロープスリング用挿入枠２２１のベルトスリング用開口部１２１ｆへの取り付け例を示す。図１５では、ロープスリング用挿入枠２２１の突出方向先端部をフック中心線Ｏに直交する回動軸線Ｏ’の周りに回動可能となるようにベルトスリング用開口部１２１ｆに取り付けてある。ベルトスリング使用時には、支持軸２３を取り外したときにロープスリング用挿入枠２２１を回動軸線Ｏ’の周りに所定角度回動させて、ベルトスリング用開口部１２１ｆから遠ざけて（離脱させて）おけばよい。したがって、ロープスリング用挿入枠２２１をベルトスリング用開口部１２１ｆへ取り付けたり取り外したりせずにすむ。
【００６２】
このように、実施例２によれば、例えば、（１）ロープスリングとロープスリング用挿通部との間に適度な摩擦を付与したり、（２）ロープスリングのロープスリング用挿通部からの脱着を可能としたり、（３）異なる断面積のロープスリングへの交換を可能としたり、（４）ロープスリングの代わりにベルトスリングの使用を可能としたりすることによって、取り扱い性のさらなる向上を図ることのできる荷吊り用具を提供できる。
【００６３】
そして、このような荷吊り用具は、次のように表わすことができる。
所定部位が巻上機等の外部フックに掛止されて吊上げ対象物に１回又は複数回掛け回されるベルトスリング及びロープスリングのうちのいずれか一方と、
前記ベルトスリングが挿通されるときにはそのベルトスリングの長手方向（以下、移動方向という）に沿って相対移動可能なベルトスリング用挿通部と、前記ロープスリングが挿通されるときにはそのロープスリングの前記移動方向に沿って相対移動可能なロープスリング用挿通部と、前記ベルトスリング用挿通部に基端部を支持されるとともに前記ベルトスリングの厚み方向又は前記ロープスリングの径方向（以下、突出方向という）に突出する先端部で前記ベルトスリング又はロープスリングの他の所定部位を掛止可能なフックと、を有するスリング保持部材と、を備え、
前記ベルトスリング用挿通部は、前記移動方向から見て前記突出方向のフック突出側とは反対側に向けて開口するベルトスリング用開口部を含む一方、
前記ロープスリング用挿通部は、前記ベルトスリング用開口部内に着脱可能に保持されるとともに、前記移動方向から見て前記突出方向のフック突出側とは反対側に向けて開口するロープスリング用開口部を含み、
さらに、前記スリング保持部材は、前記ロープスリング用挿通部が前記ベルトスリング用開口部内に保持された状態（以下、装着状態という）では前記ベルトスリング用開口部及びロープスリング用開口部を同時に、又は前記ロープスリング用挿通部が前記ベルトスリング用開口部外に移動された状態（以下、離脱状態という）では前記ベルトスリング用開口部を単独で、閉鎖するための開口閉鎖部を含み、
これによって前記スリング保持部材は、
前記装着状態では、前記開口閉鎖部による前記ベルトスリング用開口部及びロープスリング用開口部の同時閉鎖を解除して、前記ロープスリング用開口部から前記ロープスリングを着脱・交換可能であり、
前記離脱状態では、前記開口閉鎖部による前記ベルトスリング用開口部の単独閉鎖を解除して、前記ベルトスリング用開口部から前記ベルトスリングを着脱・交換可能であることを特徴とする荷吊り用具。
【００６４】
また、両端アイ形スリングを用いる場合、次のように表わすこともできる。
長手方向両端に形成されたアイ部のうち一端側のアイ部が巻上機等の外部フックに掛止されて吊上げ対象物に１回又は複数回掛け回されるベルトスリング及びロープスリングのうちのいずれか一方と、
前記ベルトスリングが挿通されるときにはそのベルトスリングの長手方向（以下、移動方向という）に沿って相対移動可能なベルトスリング用挿通部と、前記ロープスリングが挿通されるときにはそのロープスリングの前記移動方向に沿って相対移動可能なロープスリング用挿通部と、前記ベルトスリング用挿通部に基端部を支持されるとともに前記ベルトスリングの厚み方向又は前記ロープスリングの径方向（以下、突出方向という）に突出する先端部で前記ベルトスリング又はロープスリングの他端側のアイ部を掛止可能なフックと、を有するスリング保持部材と、を備え、
前記ベルトスリング用挿通部は、前記移動方向から見て前記突出方向のフック突出側とは反対側に向けて開口するベルトスリング用開口部を含む一方、
前記ロープスリング用挿通部は、前記ベルトスリング用開口部内に着脱可能に保持されるとともに、前記移動方向から見て前記突出方向のフック突出側とは反対側に向けて開口するロープスリング用開口部を含み、
さらに、前記スリング保持部材は、前記ロープスリング用挿通部が前記ベルトスリング用開口部内に保持された状態（以下、装着状態という）では前記ベルトスリング用開口部及びロープスリング用開口部を同時に、又は前記ロープスリング用挿通部が前記ベルトスリング用開口部外に移動された状態（以下、離脱状態という）では前記ベルトスリング用開口部を単独で、閉鎖するための開口閉鎖部を含み、
これによって前記スリング保持部材は、
前記装着状態では、前記開口閉鎖部による前記ベルトスリング用開口部及びロープスリング用開口部の同時閉鎖を解除して、前記ロープスリング用開口部から前記アイ部を両端に有するロープスリングを着脱・交換可能であり、
前記離脱状態では、前記開口閉鎖部による前記ベルトスリング用開口部の単独閉鎖を解除して、前記ベルトスリング用開口部から前記アイ部を両端に有するベルトスリングを着脱・交換可能であることを特徴とする荷吊り用具。
【００６５】
前記ロープスリング用開口部（又はベルトスリング用開口部）の壁面及び／又はそれに対向する前記開口閉鎖部の表面には、前記ロープスリング（又はベルトスリング）と係合する係合部が形成され、
荷掛け前又は荷外し後の非玉掛け作業時に、前記ロープスリング用開口部（又はベルトスリング用開口部）の壁面とそれに対向する前記開口閉鎖部の表面とが、前記突出方向の両側から挟むように前記ロープスリング（又はベルトスリング）に接触することにより生じる摺動抵抗によって、前記ロープスリング用挿通部（又はベルトスリング用挿通部）とロープスリング（又はベルトスリング）との相対移動を阻止可能としてもよい。
【００６６】
作業者により前記フックの先端部に前記ロープスリング（又はベルトスリング）を掛け止める際、及び／又は前記巻上機等の外部フックにより前記吊上げ対象物を吊り上げる際のような玉掛け作業時に、前記ロープスリング用挿通部（又はベルトスリング用挿通部）とロープスリング（又はベルトスリング）とは前記係合部とロープスリング（又はベルトスリング）との係合を解除して摺動抵抗を緩和された形態で相対移動可能であってもよい。
【００６７】
前記開口閉鎖部は、前記ロープスリング用開口部及びベルトスリング用開口部を前記移動方向及び突出方向のいずれにも直交する方向（以下、支持方向という）に横断する形態で、前記ロープスリング用開口部及びベルトスリング用開口部を挟んで前記支持方向両側の開口壁部を連結可能な軸状体を含んでもよい。
【００６８】
前記ロープスリング用開口部は、前記移動方向から見て前記突出方向のフック突出側とは反対側に向けて連続的又は断続的に幅拡大する形態で開口してもよい。
【００６９】
前記軸状体の軸径及び／又はその軸状体に被せられる筒状体の外径を変更することにより、前記移動方向から見て前記ロープスリング用開口部の壁面と前記軸状体又は筒状体の外周面とによって囲まれた開口面積を可変とし、
前記ロープスリング用挿通部には前記開口面積に応じて異なる断面積の前記ロープスリングが挿通可能とされていてもよい。
【００７０】
前記係合部は、前記ロープスリング用開口部の壁面において、前記移動方向に沿って互いに平行な筋状に形成された複数の凹部又は凸部を含んでもよい。なお、ロープスリング用挿通部は、ベルトスリング用挿通部やフックとは別体で構成することができるので、焼入れを施すことによって、ロープスリング用開口部の壁面に形成された係合部の強度向上を図り、長期にわたり安全性を保持することができる。
【００７１】
前記係合部は、前記軸状体又は筒状体の外周面に形成された１又は複数の凹部又は凸部を含んでもよい。
【００７２】
また、スリング保持部材は、これらの荷吊り用具に用いられ、前記ロープスリング用開口部（又はベルトスリング用開口部）と前記開口閉鎖部とによって前記ロープスリング（又はベルトスリング）に着脱可能である。
【００７３】
（実施例３）
図１６は本発明に係る荷吊り用具を用いた玉掛け作業の他の例を示す全体斜視図、図１７はその要部拡大図である。図１６及び図１７に示すように、荷吊り用具４は、捻り鋼線製で無端状のエンドレス形ワイヤロープスリング（以下、単にスリングともいう）１３と、スリング１３の長手方向に移動自在に取り付けられたスリング保持部材２０と、を備えている。
【００７４】
スリング１３は、所定部位で巻上機（図示せず）等の外部フックＨに掛止され、吊り荷Ｇ（吊上げ対象物）に複数回（例えば２周）分掛け回されている。スリング保持部材２０は、構造用合金鋼（例えばクロムモリブデン鋼）製の四角枠状のスリング挿入枠２１（スリング挿通部）と、外部フックＨの掛止部位とは別の部位でスリング１３を掛止可能な構造用合金鋼（例えばクロムモリブデン鋼）製のフック２２と、を有している。
【００７５】
このうち、スリング挿入枠２１は、内部を貫通してスリング１３が複数回（例えば２回）挿通されているので、スリング１３の長手方向（移動方向；上下方向）に沿って（相対）移動可能である。一方、フック２２は、その基端部２２ａがスリング挿入枠２１と一体的に形成（固定）・支持され、先端部２２ｂがスリング１３の直径方向（突出方向；前後方向）に突出し、スリング１３を掛け止めているので、スリング挿入枠２１とともにスリング１３に対して移動方向に（相対）移動可能である。さらに、スリング挿入枠２１には、移動方向から見てフック突出側とはスリング１１を挟んで反対側（後方側）に向けて直線で連続的に幅拡大するＶ字状形態で開口（開放）された一対の開口部２１ｆ（開放部）が、移動方向に沿って形成されている。したがって、断面積（断面直径）が共通する又は異なるスリング１３を、両開口部２１ｆから着脱（挿入・抜き出し）・交換可能である。
【００７６】
スリング挿入枠２１が三又状に分岐してフック突出側とは反対側（後方側）に延び、移動方向及び突出方向のいずれにもほぼ直交する方向（支持方向；幅方向）に並んだスリング１３をそれぞれ挿通・保持している。スリング挿入枠２１の後端部（開口壁部）を貫通する支持軸２３（軸状体；軸状部材；開口閉鎖部；連結部）にスリング挿入枠２１の後端部（開口壁部）が着脱可能かつ回動可能に支持されている。これによって、フック２２は、基端部２２ａ側を支持する支持軸２３を中心として先端部２２ｂ側が首振り回動する。また、フック２２は、スリング挿入枠２１とともにスリング１３に対して移動方向に相対移動可能である。
【００７７】
そして、スリング挿入枠２１の三又状後端部（開口壁部）の相互間に、スリング１３着脱用の開口部２１ｆ，２１ｆがそれぞれ形成されている。したがって、エンドレスに連結された状態にて、断面積（断面直径）が共通する又は異なるスリング１３の着脱（挿入及び抜き出し）・交換が開口部２１ｆを通じて無理なくできる。
【００７８】
支持軸２３は、スリング挿入枠２１の両開口部２１ｆ，２１ｆを横断する形態で、各開口部２１ｆを挟んで支持方向両側の開口壁部を連結しているので、スリング挿入枠２１の強度が向上する。このように、支持軸２３は、開口部２１ｆ，２１ｆを横断・閉鎖してスリング１３を開口部２１ｆ，２１ｆ内に保持する機能と、スリング挿入枠２１の両側開口壁部を連結する機能と、フック２２の基端部２２ａを回動可能に支持する機能とを有している。なお、２３ｄは、各開口部２１ｆを塞いでスリング１３を開口部２１ｆ内に保持し、かつ、スリング１３の表面１３ｃと接触してスリング１３の移動を円滑にするとともに支持軸２３を補強するために、スリング挿入枠２１の後端部（両側開口壁部）間に位置する支持軸２３（軸部２３ａ）に被せられた円形状のパイプ（筒状体；筒状部材；開口閉鎖部）である。この円形パイプ２３ｄは、支持軸２３（軸部２３ａ）に対して回転不能に固定されている。
【００７９】
ところで、各開口部２１ｆの壁面２１ｋには、スリング１３の表面１３ｃに係合可能な複数（例えば５条）の開口部側凹凸２１ｊ（例えば凹部；係合部；摺動抵抗付与部；移動阻止手段）が、移動方向に沿って互いに平行な筋状に形成されている。この開口部側凹部２１ｊは、荷掛け前又は荷外し後の非玉掛け作業時（すなわち、スリング弛緩時；図３参照）にスリング１３の表面１３ｃに係合して、スリング挿入枠２１（スリング保持部材２０）とスリング１３との相対移動を阻止することができる（図４参照）。
【００８０】
また、各円形パイプ２３ｄの表面（外周面；スリング対向面）には、スリング１３の表面１３ｃに係合可能な閉鎖部側凹凸２３ｉ（例えば凹部；係合部；摺動抵抗付与部；移動阻止手段）が、半径方向の高低差として形成されている。この閉鎖部側凹部２３ｉは、荷掛け前又は荷外し後の非玉掛け作業時（すなわち、スリング弛緩時；図３参照）にスリング１３の表面１３ｃに係合して、スリング挿入枠２１（スリング保持部材２０）とスリング１３との相対移動を阻止することができる（図４参照）。そして、円形パイプ２３ｄに閉鎖部側凹部２３ｉを設けることによって、支持軸２３の軸部２３ａ径を相対的に細くすることができ、ひいてはスリング挿入枠２１を小型化することとなる。
【００８１】
なお、実施例３（図１６，図１７）の作用（作動）は、実施例１（図１〜図８）と同様であるため説明を省略する。また、実施例３（図１６，図１７）において、実施例１（図１〜図８）と共通する機能を有する部分には同一符号を付して説明を省略する。実施例３に記載したようなエンドレス形ワイヤロープスリング１３は、図１６，図１７に示すように、長尺アングル材のような硬く断面非対称で重心位置が偏ったり、濡れて滑りやすい吊り荷をダブルスリング方式で玉掛けする場合等に適している。
【００８２】
（実施例４）
図１８は図１６の荷吊り用具の他の実施例を示す要部の斜視図である。図１８に示すように、荷吊り用具６は、捻り鋼線製で無端状のエンドレス形ワイヤロープスリング（ロープスリング；スリング）１３と、ロープスリング１３の長手方向に移動自在に取り付けられたスリング保持部材２０と、を備えている（図１６参照）。
【００８３】
図１８のスリング保持部材２０は、実施例２と実施例３とを組み合わせた構成を有する。すなわち、実施例２で説明したベルトスリング用挿入枠１２１のベルトスリング用開口部１２１ｆ内に、複数（例えば２個）のロープスリング用挿入枠２２１を収容（装着）できるようにしたものに相当する。したがって、図１８の荷吊り用具６では、エンドレス形ロープスリング１３とエンドレス形ベルトスリング（図示せず）との交換使用が可能となる。
【００８４】
このように、荷吊り用具６各部の具体的構造及び荷吊り用具６の作用（作動）は、実施例２及び３と同様であるから、これらと共通する機能を有する部分には同一符号を付して説明を省略する。
【００８５】
以上で説明した各実施例・変形例において、スリング１１，１３やスリング保持部材２０の材質等は記載のものに限定されない。
【図面の簡単な説明】
【００８６】
【図１】本発明に係る荷吊り用具を用いた玉掛け作業の一例を示す全体斜視図及び要部拡大図。
【図２】図１の荷吊り用具の正面断面図及び平面図。
【図３】非玉掛け作業時におけるワイヤロープスリングの弛緩状態を示す図１の荷吊り用具の全体斜視図。
【図４】図３の要部正面断面図及び平面図。
【図５】異なる径のワイヤロープスリングに交換したときの荷吊り用具の平面図。
【図６】開口部壁面の平面拡大図及び展開図。
【図７】開口部の変形例を示す説明図。
【図８】図１の荷吊り用具の変形例を示す全体斜視図及び要部拡大図。
【図９】図１の荷吊り用具の他の実施例を示す正面断面図及び平面図。
【図１０】ロープスリング用挿入枠の平面図、拡大図及び正面断面図。
【図１１】非玉掛け作業時におけるワイヤロープスリングの弛緩状態を示す図９の荷吊り用具の正面断面図及び平面図。
【図１２】異なる径のワイヤロープスリングに交換したときの荷吊り用具の平面図。
【図１３】図９からロープスリング用挿入枠を外したときの荷吊り用具の正面断面図及び平面図。
【図１４】非玉掛け作業時におけるベルトスリングの弛緩状態を示す図１３の荷吊り用具の正面断面図及び平面図。
【図１５】ロープスリング用挿入枠の取り付け例を説明する平面図。
【図１６】本発明に係る荷吊り用具を用いた玉掛け作業の他の例を示す全体斜視図。
【図１７】図１６の要部拡大図。
【図１８】図１６の荷吊り用具の他の実施例を示す要部の斜視図。
【符号の説明】
【００８７】
２，４，５，６  荷吊り用具
１０            両端アイ形ベルトスリング（スリング；ベルトスリング）
１１            両端アイ形ワイヤロープスリング（スリング；ロープスリング）
１１ａ          アイ部
１１ｂ          アイ部
１３            エンドレス形ワイヤロープスリング（スリング；ロープスリング）
２０            スリング保持部材
２１            スリング挿入枠（スリング挿通部）
２１ｆ          開口部（開放部）
２１ｊ          開口部側凹部（係合部；摺動抵抗付与部；移動阻止手段）
２２            フック
２２ａ          基端部
２２ｂ          先端部
２３            支持軸（軸状体；軸状部材；開口閉鎖部；連結部）
２３ｄ          パイプ（筒状体；筒状部材；開口閉鎖部）
２３ｉ          閉鎖部側凹部（係合部；摺動抵抗付与部；移動阻止手段）
１２１          ベルトスリング用挿入枠（ベルトスリング用挿通部；スリング挿通部）
１２１ｆ        ベルトスリング用開口部（開口部；開放部）
１２１ｊ        ベルトスリング用開口部側突起（係合部；摺動抵抗付与部；移動阻止手段）
２２１          ロープスリング用挿入枠（ロープスリング用挿通部；スリング挿通部）
２２１ｆ        ロープスリング用開口部（開口部；開放部）
２２１ｊ        ロープスリング用開口部側凹部（係合部；摺動抵抗付与部；移動阻止手段）
Ｇ              吊り荷（吊上げ対象物）
Ｈ              外部フック
Ｏ              フック中心線
【図１】
2006069716.tif 000003
【図２】
2006069716.tif 000004
【図３】
2006069716.tif 000005
【図４】
2006069716.tif 000006
【図５】
2006069716.tif 000007
【図６】
2006069716.tif 000008
【図７】
2006069716.tif 000009
【図８】
2006069716.tif 000010
【図９】
2006069716.tif 000011
【図１０】
2006069716.tif 000012
【図１１】
2006069716.tif 000013
【図１２】
2006069716.tif 000014
【図１３】
2006069716.tif 000015
【図１４】
2006069716.tif 000016
【図１５】
2006069716.tif 000017
【図１６】
2006069716.tif 000018
【図１７】
2006069716.tif 000019
【図１８】
2006069716.tif 000020